(57)【要約】      （修正有）【課題】第三者によるロックパターンの特定が困難であり、操作性を向上できるロック制御方法を提供する。【解決手段】ロック制御装置１は、入力操作を受け付ける入力部と、入力部により受け付けた入力操作の軌跡に含まれる方向のパターンを用いて、ロックを制御するロック制御部と、を備える。また、入力操作の軌跡に含まれる方向のパターンを検出するパターン検出部と、方向パターンを記憶するパターン記憶部１７と、検出された方向のパターンをパターン記憶部に記憶させる記憶制御部と、を備えてもよい。パターン検出部は、例えばパターン抽出部１４である。【選択図】図１
2014075097.tif 000002
【特許請求の範囲】
【請求項１】
入力部により入力操作を受け付ける入力ステップと、
前記入力部により受け付けた入力操作の軌跡に含まれる方向のパターンを用いて、ロックを制御するロック制御ステップと、
を有するロック制御方法。
【請求項２】
請求項１に記載のロック制御方法であって、更に、
前記軌跡に含まれる方向のパターンを、第１の方向パターンとして検出するパターン検出ステップを有し、
前記ロック制御ステップでは、前記第１の方向パターンとパターン記憶部に記憶された第２の方向パターンとを照合し、一致した場合、前記ロックを解除するロック制御方法。
【請求項３】
請求項２に記載のロック制御方法であって、
前記パターン検出ステップでは、前記軌跡の方向が転換された前後の方向パターンから第１の角度パターンを検出し、
前記ロック制御ステップでは、前記第１の角度パターンと前記パターン記憶部に記憶された第２の角度パターンとを照合し、一致した場合、前記ロックを解除するロック制御方法。
【請求項４】
請求項１ないし３のいずれか１項に記載のロック制御方法であって、
前記軌跡の方向の転換回数は可変であるロック制御方法。
【請求項５】
請求項１ないし４のいずれか１項に記載のロック制御方法であって、更に、
前記軌跡に対してエフェクト処理を行うエフェクト処理ステップを有するロック制御方法。
【請求項６】
請求項５に記載のロック制御方法であって、
前記エフェクト処理ステップでは、前記パターン検出ステップにおいて最後に検出された、前記第１の方向パターンに含まれる方向に対応する軌跡の部分に対して、前記エフェクト処理を行うロック制御方法。
【請求項７】
請求項１ないし６のいずれか１項に記載のロック制御方法であって、
前記パターン検出ステップでは、前記入力部により連続的に受け付けた入力操作の軌跡に含まれる前記第１の方向パターンを検出するロック制御方法。
【請求項８】
請求項１ないし６のいずれか１項に記載のロック制御方法であって、
前記パターン検出ステップでは、前記入力部により所定期間に受け付けた入力操作の軌跡に含まれる前記第１の方向パターンを検出するロック制御方法。
【請求項９】
請求項１に記載のロック制御方法であって、更に、
前記軌跡に含まれる方向のパターンを検出するステップと、
前記検出された方向のパターンをパターン記憶部に記憶させるステップと、
を有するロック制御方法。
【請求項１０】
入力操作を受け付ける入力部と、
前記入力部により受け付けた入力操作の軌跡に含まれる方向のパターンを用いて、ロックを制御するロック制御部と、
を備えるロック制御装置。
【請求項１１】
請求項１０に記載のロック制御装置であって、更に、
前記軌跡に含まれる方向のパターンを、第１の方向パターンとして検出するパターン検出部と、
第２の方向パターンを記憶するパターン記憶部と、
を備え、
前記ロック制御部は、前記第１の方向パターンと前記第２の方向パターンとを照合し、一致した場合、前記ロックを解除するロック制御装置。
【請求項１２】
請求項１１に記載のロック制御装置であって、
前記パターン検出部は、前記軌跡の方向が転換された前後の方向パターンから第１の角度パターンを検出し、
前記パターン記憶部は、第２の角度パターンを記憶し、
前記ロック制御部は、前記第１の角度パターンと前記第２の角度パターンとを照合し、一致した場合、前記ロックを解除するロック制御装置。
【請求項１３】
請求項１０ないし１２のいずれか１項に記載のロック制御装置であって、
前記軌跡の方向の転換回数は可変であるロック制御装置。
【請求項１４】
請求項１０ないし１３のいずれか１項に記載のロック制御装置であって、更に、
前記軌跡に対してエフェクト処理を行うエフェクト処理部を備えるロック制御装置。
【請求項１５】
請求項１４に記載のロック制御装置であって、
前記エフェクト処理部は、前記パターン検出部により最後に検出された、前記第１の方向パターンに含まれる方向に対応する軌跡の部分に対して、前記エフェクト処理を行うロック制御装置。
【請求項１６】
請求項１０ないし１５のいずれか１項に記載のロック制御装置であって、
前記パターン検出部は、前記入力部により連続的に受け付けた入力操作の軌跡に含まれる前記第１の方向パターンを検出するロック制御装置。
【請求項１７】
請求項１０ないし１５のいずれか１項に記載のロック制御装置であって、
前記パターン検出部は、前記入力部により所定期間に受け付けた入力操作の軌跡に含まれる前記第１の方向パターンを検出するロック制御装置。
【請求項１８】
請求項１０に記載のロック制御装置であって、更に、
前記軌跡に含まれる方向のパターンを検出するパターン検出部と、
方向パターンを記憶するパターン記憶部と、
前記パターン検出部により検出された方向のパターンを前記パターン記憶部に記憶させる記憶制御部と、
を備えるロック制御装置。
【発明の詳細な説明】
【技術分野】
【０００１】
本発明は、入力操作を受け付け、ロックを制御するロック制御方法およびロック制御装置に関する。
【背景技術】
【０００２】
従来、スマートフォン等の電子機器において、ロックを設定し又は解除する方法として、例えば、タッチパネルの画面上に縦３つ、横３つの計９個の点が設定され、少なくとも３点をタッチしてからリリースするまでのルートを描くことで、ロックパターンを設定又は解除する方法が知られている。
【０００３】
この種の先行技術として、タッチパネルの画面上に手書き入力された特定の軌跡から生成されたデータを、予めメモリに登録されたデータと比較して、一致した場合にキーロック状態を解除する方法が知られている（例えば特許文献１参照）。
【先行技術文献】
【特許文献】
【０００４】
【特許文献１】特開２００７−２５７１４０号公報
【発明の概要】
【発明が解決しようとする課題】
【０００５】
従来のロック制御方法では、ユーザはタッチパネルの画面上の同じ位置を指で繰り返しタッチ（接触）することになるので、例えば画面に指紋が残り、どの位置をタッチしたか第三者が判別できる。
【０００６】
また、同じ位置をタッチすることになるので、例えば覗き見されると、第三者は容易に位置を判別できる。さらに、タッチパネル上の広範囲な部分にタッチが必要なロックパターンの場合、片手により操作することが困難な場合があった。
【０００７】
このように、従来のロック制御方法では、ロックパターンが判別され易かった。また、片手で把持して操作可能なスマートフォンの場合、片手操作によるロックパターンの設定又は解除が困難な場合があった。
【０００８】
本発明は、従来の事情を鑑みてなされたものであり、第三者によるロックパターンの特定が困難であり、操作性を向上できるロック制御方法およびロック制御装置を提供する。
【課題を解決するための手段】
【０００９】
本発明のロック制御方法は、入力部により入力操作を受け付ける入力ステップと、前記入力部により受け付けた入力操作の軌跡に含まれる方向のパターンを用いて、ロックを制御するロック制御ステップと、を有する。
【００１０】
本発明のロック制御装置は、入力操作を受け付ける入力部と、前記入力部により受け付けた入力操作の軌跡に含まれる方向のパターンを用いて、ロックを制御するロック制御部と、を備える。
【発明の効果】
【００１１】
本発明によれば、第三者によるロックパターンの特定が困難であり、操作性を向上できる。
【図面の簡単な説明】
【００１２】
【図１】実施形態におけるロック制御装置の構成例を示すブロック図
【図２】（Ａ）〜（Ｄ）実施形態におけるパターン抽出例を示す模式図
【図３】（Ａ）〜（Ｄ）実施形態におけるパターン抽出における方向の検出例を示す模式図
【図４】（Ａ）〜（Ｃ）実施形態におけるエフェクト処理の結果の一例を示す模式図
【図５】実施形態におけるロックパターンの登録手順の一例を示すフローチャート
【図６】実施形態におけるロックパターンの解除手順の一例を示すフローチャート
【図７】（Ａ），（Ｂ）実施形態における変形例のタッチパネルのユーザインタフェースを示す模式図
【発明を実施するための形態】
【００１３】
以下、本発明の実施形態について、図面を用いて説明する。
【００１４】
本実施形態のロック制御装置は、例えば、起動又は操作ができないようにロック（例えば画面ロック）を設定又は解除できるスマートフォンに適用される。
【００１５】
図１は実施形態におけるロック制御装置１の構成例を示すブロック図である。ロック制御装置１は、座標入力部１１、位置決定部１２、演算部１３、パターン抽出部１４、パターン一時保存部１５、パターン判定部１６、パターン記憶部１７、表示制御部１８、および表示部１９を備える。ロック制御装置１は、スマートフォン５（図２参照）に搭載される。
【００１６】
座標入力部１１は、例えば指による接触を検出し、その接触領域を位置決定部１２に通知する。なお、指の代わりに、スタイラスペンを用いてもよい。
【００１７】
位置決定部１２は、通知された接触領域から、その代表となる座標（代表座標）を決定し、演算部１３に通知する。代表座標として、例えば、接触領域の重心の位置、又は接触領域内の玉４５（図２、図３参照）の中心位置が挙げられる。
【００１８】
演算部１３は、代表座標を表示部１９の表示座標（ＬＣＤ座標）に変換し、パターン抽出部１４および表示制御部１８に出力する。
【００１９】
パターン抽出部１４は、表示座標の情報から得られる、例えば指によりタッチされた軌跡の方向を基準に、ロックパターン（以下、単にパターンともいう）を抽出する。つまり、パターン抽出部１４（パターン検出部の一例）は、後述するように、タッチパネルへの接触開始からリリース（離間）による接触終了するまでの軌跡の方向から、パターンを得る。
【００２０】
パターン抽出部１４は、方向からパターンを決定するので、例えば軌跡の位置、大きさ、又は比率については、パターンとして考慮しない。従って、例えば形状が異なるパターンも同一パターンとして認識され得る。
【００２１】
パターン一時保存部１５は、パターン抽出部１４によって抽出されたパターンを一時保存し、リリース時に確定したパターン（確定パターン）をパターン判定部１６に出力する。
【００２２】
パターン判定部１６は、パターン一時保存部１５から取得した確定パターンと、パターン記憶部１７に例えば予め設定されたパターンとを照合し、照合の結果を出力する。
【００２３】
パターン記憶部１７には、例えば予め設定されたパターン（設定パターン）が登録される。パターン記憶部１７は、ロック制御装置１により決定されたパターンを記憶してもよいし、他の装置により決定されたパターンの情報を取得し記憶してもよい。
【００２４】
表示制御部１８は、パターン一時保存部１５に一時保存されたパターンのうち、確定されたパターンを除く未確定な軌跡に対して、エフェクト処理を実行する。未確定な軌跡とは、最後に検出された方向に対応する軌跡の部分である。なお、確定したパターンの軌跡を含めた全ての軌跡に対してエフェクト処理してもよい。表示制御部１８はエフェクト処理部の一例である。
【００２５】
表示部１９は、各種の情報の他、表示制御部１８によって実行されたエフェクト処理の結果を表示する。なお、座標入力部１１および表示部１９は、スマートフォン５のタッチパネル３１（図２参照）を含む。
【００２６】
図２（Ａ）〜（Ｄ）はパターン抽出例を示す模式図である。ここでは、表示部１９の画面には、例えば指によりパターンの軌跡を描く際の目安となる、指の大きさと同程度の玉４５がデザイン（玉模様）を兼ねて縦横に整列して複数表示されている。なお、この玉４５は表示されなくてもよい。
【００２７】
パターン抽出部１４は、タッチからリリースまでの連続的な軌跡６０において、方向を転換させるポイント（転換点）における方向を表す記号の列から、パターンを抽出する。方向を表す記号の列は、図２（Ａ）に示すように、４５度ずつ角度の異なる８つの方向から得られる。図２（Ａ）では、垂直方向を“１”として、４５度ずつ時計周りに割り当てられた方向を、それぞれ“２”、“３”、“４”、“５”、“６”、“７”、“８”として表す。これにより、方向から構成されるパターンの抽出を容易に理解できる。
【００２８】
図２（Ｂ）では、タッチパネル３１の座標入力部１１上に指をタッチした点（始点）から右方向に移動させ、続いて左下方向に方向を転換させ、続いて右方向に方向を転換させた後、リリースする場合を例示している。これにより、軌跡「Ｚ」がパターンとして入力される。
【００２９】
この場合、始点から右方向に軌跡６０が延びるので、始点では、記号“３”のパターンが与えられる。つまり、パターン抽出部１４は、“３”をパターンとして抽出される。第１転換点では、左下方向に軌跡が延びているので、記号“６”のパターンが与えられる。第２転換点では、再び右方向に軌跡が延びているので、記号“３”のパターンが与えられる。
【００３０】
このように、「Ｚ」を描いた場合、パターン抽出部１４は、記号“３”、“６”、“３”からなるパターンを得る。つまり、パターンは、始点および転換点の方向から得られるので、描く軌跡の例えば位置、大きさ、又は比率には無関係である。
【００３１】
従って、図２（Ｃ）に示すように、タッチパネル３１の右下隅に、「Ｚ」の軌跡６０を描いても、パターン抽出部１４により抽出されるパターンは、図２（Ａ）と同じである。また、図２（Ｄ）に示すように、タッチパネル３１の上部に、始点から第１転換点までの移動量が多い（距離が長い）「Ｚ」の軌跡６０を描いても、パターン抽出部１４により抽出されるパターンは、図２（Ａ）と同じである。
【００３２】
従って、タッチパネル３１の画面において特定の位置に集中してタッチが行わずにロックを設定又は解除できるので、指紋が付着しにくく、パターンを認識することが困難となる。また、ユーザ好みの持ち方又は位置において入力が可能となり、片手操作による入力（例えば、右手により把持し、右下領域においてパターンを入力）が容易である。さらに、パターンにおいて軌跡の移動量を考慮しないので、ブラインド操作や簡略化した操作が可能となる。
【００３３】
なお、ここでは、方向の転換回数が２回である場合を示したが、任意の転換回数でもよいことは勿論である。つまり、転換回数は可変である。転換回数を任意に設定する（可変にする）ことで、使用者が所望するロックパターンに対応することができ、簡単なパターンから複雑なパターンまで対応でき、操作性が向上する。
【００３４】
図３（Ａ）〜（Ｄ）は、パターン抽出における方向の検出例を示す模式図である。図３（Ａ）に示すように、矢印ａに示す左方向から転換点５０（図中、黒丸）に指の接触位置が移動した場合、パターン抽出部１４は、転換点５０を中心とする８方向に区分されたマス目状の点線枠４７を設定する。なお、この点線枠４７は、表示部１９の画面には表示されない仮想的なものである。
【００３５】
図３（Ｂ）に示すように、転換点５０から図中において真上の方向に指が延び、矢印ｂに示す方向から点線枠４７を出る場合、記号“１”の方向のパターンが与えられる。つまり、パターン抽出部１４は、“１”のパターンを抽出する。
【００３６】
図３（Ｃ）に示すように、転換点５０から右上の方向に指が延び、矢印ｃに示す方向から点線枠４７を出る場合、記号“２”の方向が与えられる。つまり、パターン抽出部１４は、“２”のパターンを抽出する。つまり、転換点５０から記号“１”を含む方向に変わっても、点線枠４７を出る段階では記号“２”の小枠４７ａを通過しているので、記号“２”の方向のパターンが与えられる。
【００３７】
図３（Ｄ）に示すように、矢印ｃの方向より図中において水平方向に傾いた矢印ｄに示す方向から点線枠４７を出る場合も、点線枠４７を出る段階では記号“２”の小枠４７ａを通過しているので、記号“２”の方向のパターンが与えられる。つまり、パターン抽出部１４は、“２”のパターンを抽出する。
【００３８】
このように、パターン抽出部１４は、マス目状の点線枠４７を設定し、この点線枠４７を出る際に方向のパターンを抽出する。そして、軌跡の方向として、例えば８つの方向のいずれかを検出する。８つの方向のいずれかを検出するので、より多方向の場合と比較すると、パターン化する処理負荷を軽減できる。
【００３９】
また、表示部１９の画面を例えば指でなぞる際、点線枠４７内において指が多少ふらついても点線枠４７を出るまでは方向が未確定なので、多少の余裕を設けることができ、パターン抽出の精度が向上する。
【００４０】
なお、点線枠４７は、転換点５０の周囲に位置する、８つの玉４５を１つ分囲むように配置されたが、例えば２つ分、又は３つ分囲むように配置されてもよく、使い勝手に合わせた任意の大きさに変更可能である。
【００４１】
図４（Ａ）〜（Ｃ）は、例えば指による軌跡を描いている最中に施されるエフェクト処理の結果の一例を示す模式図である。図４（Ａ）では、始点５２から転換点５３まで水平に（図中右方向に）指を移動させ、転換点５３において方向を転換させて垂直に（図中下方向に）指を移動させる場合を想定する。この場合、転換点５３において方向を転換させた時点において、始点５２から転換点５３までの軌跡６１が確定し、転換点５３から真下の方向に延びる軌跡６２は、未確定な状態にある（点線ｈの枠内）。
【００４２】
表示制御部１８は、例えば、確定した軌跡６１にエフェクト処理を施すことなく、未確定な状態にある軌跡６２にエフェクト処理を施す。エフェクト処理では、例えば、図４（Ｂ）に示すように、表示制御部１８は、未確定な状態にある軌跡６２と領域が重なる玉４５に対し、玉４５の大きさを軌跡の移動方向に沿って徐々に大きくなるように変化させてもよい（点線ｈの枠内）。また、表示制御部１８は、未確定な状態にある軌跡６２と領域が重なる玉４５の表示色を変えてもよい（点線ｈの枠内）。また、図４（Ｃ）に示すように、表示制御部１８は、未確定な状態にある軌跡６２と領域が重なる玉４５を回転させてもよい（点線ｈの枠内）。
【００４３】
エフェクト処理を施すことで、ユーザがパターンの入力中であることを容易に理解できる。また、確定した軌跡にエフェクトを施さず、未確定な軌跡にエフェクトを施す場合、パターン全体を盗み見により認識されることを防止できる。なお、前述したように、確定した軌跡を含む全ての軌跡にエフェクトを施す場合、ユーザは全体を認識しながらパターンの入力が可能となる。
【００４４】
次に、ロック制御装置１の動作例について説明する。
ここでは、パターンの登録動作および解除動作について説明する。
【００４５】
図５はロックパターンの登録手順の一例を示すフローチャートである。このロックパターンの登録手順では、ユーザが、タッチパネル３１に対し、一筆書きの軌跡を描き、ロックパターンを設定することを想定する。
【００４６】
まず、座標入力部１１は、ユーザの例えば指が表示部１９の画面に触れることにより、その入力を検出する（Ｓ１）。この入力の検出では、座標入力部１１は、画面に対する例えば指の接触領域を位置決定部１２に通知する。位置決定部１２は、この接触領域から代表座標（例えば、接触領域における重心の位置）を決定し、演算部１３に通知する。演算部１３は、代表座標を軌跡とする表示座標（ＬＣＤ座標）を表示制御部１８、およびパターン抽出部１４に通知する。
【００４７】
続いて、座標入力部１１は、指が表示部１９の画面から離れた（リリースされた）か否かを判別する（Ｓ２）。
【００４８】
指が離れていない場合、パターン抽出部１４は、例えば指による軌跡に方向転換があったか否かを判別する（Ｓ３）。方向転換があった場合、パターン一時保存部１５は、その転換点（図２、図３参照）における方向を表す記号（例えば“３”）を一時保存する（Ｓ４）。Ｓ４の後、ロック制御装置１は、Ｓ２の処理に戻り、同様の処理を繰り返す。
【００４９】
Ｓ３において軌跡に方向転換がない場合、表示制御部１８は、表示部１９の画面に表示された軌跡に対してエフェクト処理を施す（Ｓ５）。パターン抽出部１４は方向転換があるまで待機する。
【００５０】
一方、Ｓ２において、例えば指が表示部１９の画面から離れた場合、パターン判定部１６は、パターン一時保存部１５に保存されたパターンを確定する（Ｓ６）。この場合、パターン判定部１６は、確定されたパターン一時保存部１５に保存されたパターンを、設定パターンとしてパターン記憶部１７に登録する（Ｓ７）。また、表示制御部１８は、軌跡に対するエフェクト処理を解除する。
【００５１】
Ｓ１〜Ｓ７の処理の結果、パターン記憶部１７には、例えば「 “３”、“８”、“５”、“２” 」からなる設定パターンが登録される。なお、パターン記憶部１７に設定パターンを登録するパターン判定部１６は、記憶制御部の一例である。
【００５２】
このように、ロック制御装置１は、入力操作の軌跡に含まれる方向のパターンを検出するパターン検出部と、方向パターンを記憶するパターン記憶部１７と、検出された方向のパターンをパターン記憶部に記憶させる記憶制御部と、を備えてもよい。パターン検出部は、例えばパターン抽出部１４である。これにより、ユーザの意図に沿ったロックパターンを容易に設定できる。
【００５３】
なお、ロックパターンは、図５の処理により設定及び登録されてもよいし、予めパターン記憶部１７に記憶されていてもよい。
【００５４】
図６はロックパターンの解除手順の一例を示すフローチャートである。図６のロックパターンの解除手順では、ユーザが、タッチパネル３１に対し、一筆書きの軌跡を描いて、ロックパターンを解除することを想定する。なお、Ｓ６においてパターン判定部１６がパターン一時保存部１５に保存されたパターンを確定するまでの処理は、図５の処理と同じであるので、説明を省略する。
【００５５】
Ｓ６において入力されたパターンが確定すると、パターン判定部１６は、この入力されたパターンと、パターン記憶部１７に登録された設定パターンと、を照合する（Ｓ７Ａ）。このように、入力されたパターンと登録された設定パターンとを照合するだけでよいので、パターンの認証が容易である。
【００５６】
照合の結果、パターンが不一致であると、ロック制御装置１は、図６の処理を終了する。
【００５７】
一方、照合の結果、パターンの一致が確認されると、パターン判定部１６は、ロック解除を図示しないロック制御部へ指示する（Ｓ８）。ロック制御部は、パターン判定部１６からロック解除の指示を受けると、スマートフォン５のロックを解除する。ここで、スマートフォン５内のロック制御部およびパターン判定部１６は、ロック制御部の一例である。
【００５８】
このように、ロック制御装置１は、入力操作を受け付ける入力部と、入力部により受け付けた入力操作の軌跡に含まれる方向のパターンを用いて、ロックを制御するロック制御部と、を備える。
【００５９】
ロック制御装置１によれば、ロックパターンとして方向を抽出するので、表示部１９の画面上の特定の位置を集中してタッチする必要がない。従って、画面に指紋が付着しにくく、ロックパターンの判別が困難となり、セキュリティが向上する。
【００６０】
また、設定時又は解除時に画面上の同じ位置を毎回タッチする必要がないので、片手操作でもタッチし易くなる。つまり、例えば入力に利用するユーザの手に近いタッチパネル上の領域においてパターンを入力すればよく、片手操作によりロックパターンの設定又は解除を容易に実施できる。
【００６１】
また、軌跡の移動量はパターンとして考慮されないので、例えば簡略化した操作又はブラインド操作でも、複雑なパターンを入力可能であり、パターンの判別も困難である。このように、第三者によるロックパターンの特定が困難であり、操作性を向上できる。
【００６２】
また、ロック制御装置１は、軌跡に含まれる方向のパターンを、第１の方向パターンとして検出するパターン検出部と、第２の方向パターンを記憶するパターン記憶部１７と、を備えてもよい。前記ロック制御部は、第１の方向パターンと第２の方向パターンとを照合し、一致した場合、ロックを解除してもよい。パターン検出部は、例えばパターン抽出部１４である。ロック制御部は、例えばパターン判定部１６及び不図示のロック制御部である。これにより、例えば予め記憶されたパターンと一致した方向パターンを用いて、容易にロック解除できる。
【００６３】
また、ロック制御装置１は、入力操作の軌跡に対してエフェクト処理を行うエフェクト処理部を備えてもよい。エフェクト処理部は、例えば表示制御部１８である。これにより、ユーザがパターンの入力中であることを容易に理解できる。なお、確定した軌跡を含む全ての軌跡にエフェクト処理を行う場合、ユーザはパターン全体を認識しながらパターンの入力が可能となる。
【００６４】
また、ロック制御装置１は、エフェクト処理部は、パターン検出部により最後に検出された、第１の方向パターンに含まれる方向に対応する軌跡の部分に対して、エフェクト処理を行ってもよい。これにより、第三者に盗み見された場合でも、パターン全体が認識されることを防止できる。
【００６５】
（変形例）
図７はタッチパネル３１のユーザインタフェースの変形例を示す模式図である。図７（Ａ）は、表示部１９の画面を縦向きにした状態（左側の状態）において軌跡６０を描く場合と、横向きにした状態（右側の状態）において軌跡６０を描く場合と、を示す。パターンは、始点又は転換点から延びる軌跡６０の方向の組み合わせにより決まる。
【００６６】
例えば、縦向き又は横向きのいずれの方向に表示部１９の画面を置いても、図２（Ａ）の矢印の方向及び記号が一致するようにすれば、ロックパターンの設定又は解除が容易に可能である。これにより、ユーザの使い勝手が向上する。
【００６７】
また、上記実施形態では、表示部１９の画面の背景に玉模様を表示していたが、本実施形態のロックパターンの設定又は解除方法は、背景に依存しない。従って、図７（Ｂ）に示すように、表示部１９の画面の背景に何も表示しなくてもよい。この場合、バックライトの明るさを極限まで小さくできる。これにより、省電力化を図れる。
【００６８】
なお、本発明は、上記実施形態の構成に限られるものではなく、特許請求の範囲で示した機能、または本実施形態の構成が持つ機能が達成できる構成であればどのようなものであっても適用可能である。
【００６９】
例えば、上記実施形態では、例えば指によるタッチからリリースまでに連続的になぞられる軌跡から、ロックパターンを得た。つまり、パターン抽出部１４は、入力部により連続的に受け付けた入力操作の軌跡に含まれる方向パターンを抽出してもよい。これにより、一筆書きの入力操作により簡単にロックパターンを設定又は解除できる。
【００７０】
この代わりに、ロック制御装置１は、所定時間内に非連続的に行われるタッチとリリースとの繰り返しから、ロックパターンを検出してもよい。つまり、パターン抽出部１４は、入力部により所定期間に受け付けた入力操作の軌跡に含まれる方向パターンを抽出してもよい。これにより、ユーザ所望の操作が可能となり、例えば連続的にパターンを描くことが困難な場合であってもパターンの設定又は解除ができ、使い勝手が向上する。
【００７１】
また、上記実施形態では、例えば画面ロックをかける（設定する）ことが可能なスマートフォンに適用された場合を示した。本実施形態は、スマートフォン等の携帯端末に限らず、例えば画面ロック又はキーロックが可能な携帯端末（例えばタブレット端末又はＰＣ）に適用できる。
【００７２】
また、例えば、扉の開閉にロックを設定又は解除可能なセキュリティーボックス、ロッカー、白物家電（例えば冷蔵庫）、セキュリティによる管理を必要とするその他の装置に適用可能である。例えば、ロッカーの前面にロック制御装置１が設けられた場合、ロックパターンを解除しない限り、扉を開閉しないようにすることができる。
【００７３】
また、上記実施形態では、検出される方向を８つの方向に分けてパターン化していたが、任意の数の方向（例えば４方向、１６方向、又は３２方向）に分けてパターン化してもよい。これにより、ユーザに合わせた設定が可能となり、操作性が向上する。
【００７４】
また、上記実施形態では、例えば指によりなぞられた軌跡の方向からパターン（方向パターン）を得ていたが、入力された軌跡と所定の軸との成す角度、又は、転換点の前後の軌跡が成す角度から、パターン（角度パターン）を得てもよい。
【００７５】
つまり、パターン抽出部１４は、入力操作の軌跡の方向が転換された前後の方向パターンから角度パターン（第１の角度パターン）を抽出してもよい。また、パターン判定部は、第１の角度パターンと、パターン記憶部１７に記憶された角度パターン（第２の角度パターン）と、を照合し、一致した場合、ロックを解除してもよい。また、角度のパターンを用いてロックを設定してもよい。これにより、多様なロックの設定又は解除操作を実施できる。
【００７６】
また、本発明は、上記実施形態の機能を実現するロック制御プログラムを、ネットワーク又は各種記憶媒体を介してロック制御装置１に供給し、ロック制御装置１内のコンピュータが読み出して実行するプログラムも適用範囲である。
【産業上の利用可能性】
【００７７】
本発明は、第三者によるロックパターンの特定が困難であり、操作性を向上できるロック制御方法およびロック制御装置に有用である。
【符号の説明】
【００７８】
１  ロック制御装置
５  スマートフォン
１１  座標入力部
１２  位置決定部
１３  演算部
１４  パターン抽出部
１５  パターン一時保存部
１６  パターン判定部
１７  パターン記憶部
１８  表示制御部
１９  表示部
３１  タッチパネル
４５  玉
４７  点線枠
４７ａ  小枠
５０、５３  転換点
５２  始点
６０、６１、６２  軌跡
【図１】
2014075097.tif 000003
【図２】
2014075097.tif 000004
【図３】
2014075097.tif 000005
【図４】
2014075097.tif 000006
【図５】
2014075097.tif 000007
【図６】
2014075097.tif 000008
【図７】
2014075097.tif 000009